(57)【要約】  本発明の実施形態は、ハンドオーバ処理を行う方法に関連する。移動ノード（１３）に関するハンドオーバ処理の開始を示すハンドオーバメッセージ（ＨＯＭ（１３））を受信した後、ハンドオーバ制御ノード（２０）は、その次のトークン（Ｔ（２１））を移動ノード（１３）に対してアドレスし、オリジナルの無線トークンリングシステム（２）において以前に割り当てられた下流ノード（２１）に対してはアドレスしない。移動ノード（１３）がトークン（Ｔ（２１））を受信し、その後、ハンドオーバ制御ノード（２０）に確認応答を、拡張された無線リングトークンシステム（２）において割り当てられた下流ノード（２１）に自身のトークン（Ｔ）を送信する場合、ハンドオーバ処理は、完了したとみなされ、移動ノード（１３）は、拡張された無線リングトークンシステム（２）においてハンドオーバ制御ノード（２０）に対して新たに割り当てられた下流ノードを形成する。ハンドオーバ制御ノード（２０）が所与の期間において確認応答を受信しない場合、ハンドオーバ制御ノード（２０）は、置換トークン（ＲＴ）を移動ノード（１３）の下流ノード（２１）に送信する。置換トークン（ＲＴ）は、移動ノード（１３）の推定される欠落トークンを置き換え、トークンリング通信を進行させることができる。
2020522910.tif 000002
【特許請求の範囲】
【請求項１】
第１の通信システムと第２の通信システムの間でハンドオーバ処理を行う方法であって、
前記第２の通信システムが無線トークンリングシステムであり、前記無線トークンリングシステムの少なくとも１つの通信ノードはハンドオーバ制御ノードとして動作し、
前記第１の通信システムの通信ノード（以下、移動ノードと呼ぶ）が、前記第１の通信システムを離れ、前記無線トークンリングシステムに統合されることによって、オリジナル無線トークンリングシステムを拡張無線トークンリングシステムに変換し、
前記移動ノードに関する前記ハンドオーバ処理の開始を示すハンドオーバメッセージを受信した後、前記ハンドオーバ制御ノードは、その次のトークンを、前記オリジナル無線トークンリングシステムにおいて以前に割り当てられた下流ノードに対してではなく、前記移動ノードに対してアドレスし、
（ａ）  前記移動ノードが前記トークンを受信し、その後、前記拡張無線トークンリングシステムにおいて、前記ハンドオーバ制御ノードに確認応答を、割り当てられた下流ノードに自身のトークンを送信する場合、前記ハンドオーバ処理は完了し、前記移動ノードが前記拡張無線トークンリングシステムにおいて前記ハンドオーバ制御ノードへ新たに割り当てられた下流ノードを形成し、
（ｂ）  前記ハンドオーバ制御ノードが所定の期間内に前記確認応答を受信しない場合、前記ハンドオーバ制御ノードは、前記移動ノードの割り当てられた下流ノードに置換トークンを送信し、前記移動ノードの推定される欠落トークンを置き換え、トークンリング通信を進行することができ、
ステップ（ａ）およびステップ（ｂ）は、前記ハンドオーバ制御ノードが移動ノードから前記確認応答を受信するまで、あるいは前記ハンドオーバ処理が失敗したとみなされて中止されるまで繰り返される、方法。
【請求項２】
第１の通信システムと第２の通信システムの間でハンドオーバ処理を行う方法であって、
前記第２の通信システムが無線トークンリングシステムであり、各通信ノードが、割り当てられた上流通信ノードに信号を送信し、割り当てられた下流通信ノードから信号を受信するように構成されており、前記無線トークンリングシステムの少なくとも１つの通信ノードがハンドオーバ制御ノードとして動作し、
前記第１の通信システムの移動ノードの前記無線トークンリングシステムへの統合を開始することにより、オリジナル無線トークンリングシステムを拡張無線トークンリングシステムに変換するために、ハンドオーバメッセージが前記第１の通信システムから前記無線トークンリングシステムに送信され、
前記移動ノードに関する前記ハンドオーバ処理の開始を示す前記ハンドオーバメッセージを受信した後、前記無線トークンリングシステムのハンドオーバ制御ノードは、その次のトークンを、前記オリジナル無線トークンリングシステムにおいて以前に割り当てられた下流ノードに対してではなく、前記移動ノードに対してアドレスし、
当該方法は、
（ａ）  前記移動ノードが前記トークンを受信し、その後、前記拡張無線トークンリングシステムにおいて、前記ハンドオーバ制御ノードに確認応答を、割り当てられた下流ノードに自身のトークンを送信する場合、前記ハンドオーバ処理は完了し、前記移動ノードが前記拡張無線トークンリングシステムにおいて前記ハンドオーバ制御ノードへ新たに割り当てられた下流ノードを形成し、
（ｂ）  前記ハンドオーバ制御ノードが所定の期間内に前記確認応答を受信しない場合、前記ハンドオーバ制御ノードは、前記移動ノードの割り当てられた下流ノードに置換トークンを送信し、前記置換トークンはトークンリング通信を進行させることができ、
ステップ（ａ）およびステップ（ｂ）は、前記ハンドオーバ制御ノードが移動ノードから前記確認応答を受信するまで、あるいは前記ハンドオーバ処理が失敗したとみなされて中止されるまで繰り返される、方法。
【請求項３】
ステップ（ａ）において、前記確認応答と前記移動ノード自身のトークンは、前記移動ノードによって同時にあるいは連続して送信される別個の信号である、請求項１または２に記載の方法。
【請求項４】
ステップ（ａ）において、前記移動ノード自身のトークン自体が前記確認応答を形成し、
前記ハンドオーバ制御ノードは、前記移動ノード自身のトークンの受信を、前記確認応答の受信として受け入れる、請求項１または２に記載の方法。
【請求項５】
前記ハンドオーバ制御ノードの前記次のトークンは、前記移動ノードに対して、前記無線トークンリングシステムのどのノードが前記拡張無線トークンリングシステムにおいて割り当てられた下流ノードとなるかを示す、請求項１から４のいずれか一項に記載の方法。
【請求項６】
前記２つの通信システムのそれぞれにおいて、少なくとも１つのノードがハンドオーバ制御ノードとして動作し、前記第１の通信システムのハンドオーバ制御ノードを以下、第１のハンドオーバ制御ノードと呼び、前記無線トークンリングシステムのハンドオーバ制御ノードを以下、第２のハンドオーバ制御ノードと呼ぶ、請求項１から５のいずれか一項に記載の方法。
【請求項７】
前記第１のハンドオーバ制御ノードは、前記移動ノードに対する前記ハンドオーバ処理の開始を示す前記ハンドオーバメッセージを前記第２のハンドオーバ制御ノードに送信する、請求項６に記載の方法。
【請求項８】
前記ハンドオーバメッセージを受信した後、前記第２のハンドオーバ制御ノードが、設定メッセージを前記移動ノードに転送する前記第１のハンドオーバ制御ノードに前記設定メッセージを送信し、
前記設定メッセージは、前記移動ノードに対して、前記無線トークンリングシステムのどのノードが前記拡張無線トークンリングシステムにおいて割り当てられた下流ノードとなるかを示す、請求項６または７に記載の方法。
【請求項９】
前記ハンドオーバメッセージを受信すると、前記無線トークンリングシステムのハンドオーバ制御ノードは、前記無線トークンリングシステムの拡張を示す拡張情報を前記無線トークンリングシステムの通信ノードに送信する、請求項１から８のいずれか一項に記載の方法。
【請求項１０】
前記ハンドオーバメッセージを受信したら、前記無線トークンリングシステムのハンドオーバ制御ノードは、新しいタイミングスケジュールを設定し、前記無線トークンリングシステムの通信ノードに前記新しいタイミングスケジュールを送信し、
前記新しいタイミングスケジュールは、前記拡張無線トークンリングシステムにおける通信ノードにより満たされるべきタイミング要求を定義する、請求項１から９のいずれか一項に記載の方法。
【請求項１１】
各回転周期において、前記第１の通信システムの各通信ノードは、直接的または間接的に、すなわち、中継ノードとして機能する１つ以上の他の通信ノードを介して、前記第１の通信システムの割り当てられた下流通信ノードにトークンを送信し、前記第１の通信システムの割り当てられた上流通信ノードからトークンを受信し、
各回転周期において、前記無線トークンリングシステムの各通信ノードは、直接的または間接的に、すなわち、中継ノードとして機能する１つ以上の他の通信ノードを介して、前記無線トークンリングシステムの割り当てられた下流通信ノードにトークンを送信し、前記無線トークンリングシステムの割り当てられた上流通信ノードからトークンを受信する、請求項１から１０のいずれか一項に記載の方法。
【請求項１２】
少なくとも２つの通信システムを含むアレンジメントであって、
前記通信システムのうちの少なくとも１つは、無線トークンリングシステムであり、
前記無線トークンリングシステムの通信ノードのうちの少なくとも１つは、請求項１から１１のいずれか一項に記載の方法によるハンドオーバ制御ノードとして活動するように構成されている、アレンジメント。
【請求項１３】
無線トークンリングシステムであって、請求項１２に記載のアレンジメントのインスタンスとして、
ハンドオーバ制御ノードは、
その次のトークンを、移動ノードに関するハンドオーバ処理の開始を示すハンドオーバメッセージを受信した後、オリジナルの無線トークンリングシステムにおいて以前に割り当てられた下流通信ノードではなく、前記移動ノードにアドレスし、
前記ハンドオーバ制御ノードが所与の期間内に前記移動ノードから確認応答を受信しない場合、前記移動ノードの割り当てられた下流ノードに置換トークンを送信する、ように構成されており、
前記置換トークンはトークンリング通信を進行することができる、無線トークンリングシステム。
【請求項１４】
請求項１３に記載の無線トークンリングシステムおよび／または請求項１２に記載のアレンジメントに対する無線トークンリングシステムの通信ノードは、請求項１から１１のいずれか一項に記載の方法に従ってハンドオーバ制御ノードとして活動するように構成されている、通信ノード。
【請求項１５】
無線トークンリングシステムのための通信ノードであって、
前記通信ノードは、ハンドオーバ制御ノードであって、
移動ノードに関するハンドオーバ処理の開始を示すハンドオーバメッセージを受信した後、その次のトークンを、オリジナルの無線トークンリングシステムにおいて以前に割り当てられた下流通信ノードではなく、前記移動ノードにアドレスし、
前記ハンドオーバ制御ノードが所与の期間内に前記移動ノードから確認応答を受信しない場合、前記移動ノードの割り当てられた下流ノードに置換トークンを送信する、ように構成されており、
前記置換トークンはトークンリング通信を進行することができる、通信ノード。
【請求項１６】
前記通信ノードは、請求項１から１１のいずれか一項に記載の方法に従って、ハンドオーバ制御ノードとして活動するように構成されている、請求項１５に記載の通信ノード。
【請求項１７】
前記通信ノードは、
トランシーバと、
プロセッサと、
ハンドオーバ制御ソフトウェアモジュール（ＨＣＳ）を記憶するメモリと、を含み、前記ハンドオーバ制御ソフトウェアモジュールは、起動後、前記通信ノードが前記ハンドオーバ制御ノードとして活動するように前記プロセッサをプログラムする、請求項１４から１６のいずれか一項に記載の通信ノード。
【発明の詳細な説明】
【技術分野】
【０００１】
本発明は、通信システム間でハンドオーバ処理を実行する方法に関連する。本発明は、通信システム、無線トークンリングシステム、および無線トークンリングシステムのための通信ノードを含むアレンジメントに関連する。
【背景技術】
【０００２】
独国特許出願ＤＥ１０２０１２２０６５２９は、トークンリングシステムを動作させる方法を開示し、通信ノードは信号を割り当てられた上流の通信ノードに送信し、割り当てられた下流の通信ノードから信号を受信する。
【０００３】
論文「WTRP  ‐Wireless  Token  Ring  Protocol」（M.  Ergen，Berkeley，California，2002）は、通信ノードが既存の通信システムに参加することを可能にする方法を開示している。
【０００４】
本発明の目的は、ハンドオーバ処理に直接関与しないノード間の進行中の通信に対する影響を最小限にした、無線トークンリングシステムと別の通信システムの間のハンドオーバ処理を処理するための方法を提供することである。
【０００５】
本発明のさらなる目的は、ハンドオーバ処理に直接関与しないノード間の進行中の通信に対する影響を最小限にしてハンドオーバ処理を扱うことができる、通信システム、無線トークンリングシステムおよび無線トークンリングシステムのための通信ノードを含むアレンジメントを提供することである。
【発明の概要】
【０００６】
本発明の一実施形態は、第１の通信システムと第２の通信システムの間でハンドオーバ処理を行う方法に関連し、
第２の通信システムが無線トークンリングシステムであり、無線トークンリングシステムの少なくとも１つの通信ノードはハンドオーバ制御ノードとして動作し、
第１の通信システムの通信ノード（以下、移動ノードと呼ぶ）が、第１の通信システムを離れ、無線トークンリングシステムに統合されることによって、オリジナル無線トークンリングシステムを拡張無線トークンリングシステムに変換し、
移動ノードに関するハンドオーバ処理の開始を示すハンドオーバメッセージを受信した後、ハンドオーバ制御ノードは、その次のトークンを、オリジナル無線トークンリングシステムにおいて以前に割り当てられた下流通信ノードに対してではなく、移動ノードに対してアドレスし、
（ａ）  移動ノードがトークンを受信し、その後、拡張無線トークンリングシステムにおいて、ハンドオーバ制御ノードに確認応答を、その割り当てられた下流ノードに自身のトークンを送信する場合、ハンドオーバ処理は完了し、移動ノードが拡張無線トークンリングシステムにおいてハンドオーバ制御ノードへ新たに割り当てられた下流ノードを形成し、
（ｂ）  ハンドオーバ制御ノードが所定の期間内に確認応答を受信しない場合、ハンドオーバ制御ノードは、移動ノードの割り当てられた下流ノードに置換トークンを送信し、移動ノードの推定される欠落トークンを置き換え、トークンリング通信を進行させることができる。
ステップ（ａ）およびステップ（ｂ）は、ハンドオーバ制御ノードが移動ノードから確認応答を受信するまで、あるいはハンドオーバ処理が失敗したとみなされて中止されるまで繰り返される、方法である。
【０００７】
本発明のこの実施形態の利点は、たとえハンドオーバ処理が遅延され、あるいは最終的に完全に失敗しても、ハンドオーバフェーズの間、無線トークンリングシステムにおけるノード間のトークンベースの通信が中断されることなく進行することができることである。
【０００８】
好ましくは、無線トークンリングシステムのハンドオーバ制御ノードがあらかじめ定義された数の置換メッセージを送信した後、ハンドオーバ処理は失敗したとみなされて中止される。
【０００９】
ステップ（ａ）では、拡張無線トークンリングシステムにおいてその割り当てられた下流ノードに送信される確認応答および移動ノードのトークンは、移動ノードによって同時にあるいは連続して送信される別個の信号であってよい。
【００１０】
代替的または追加的に、移動ノードのトークン自体が確認応答を形成することができ、ハンドオーバ制御ノードは、拡張無線トークンリングシステムにおいてその割り当てられた下流ノードにアドレスされた移動ノードのトークンの受信を、確認応答の受信として受け入れることができる。
【００１１】
好ましい実施形態によれば、ハンドオーバ制御ノードの次のトークンは、移動ノードに対して、無線トークンリングシステムのどのノードが拡張無線トークンリングシステムにおいてその割り当てられた下流ノードとなるかを示すことができる。
【００１２】
２つの通信システムのそれぞれにおいて、好ましくは、少なくとも１つのノードがハンドオーバ制御ノードとして動作する。第１の通信システムのハンドオーバ制御ノードを以下、第１のハンドオーバ制御ノードと呼び、無線トークンリングシステムのハンドオーバ制御ノードを以下、第２のハンドオーバ制御ノードと呼ぶ。
【００１３】
移動ノードに対するハンドオーバ処理の開始を示すハンドオーバメッセージは、好ましくは、第１のハンドオーバ制御ノードによって第２のハンドオーバ制御ノードに送信される。
【００１４】
さらなる実施形態によれば、第２のハンドオーバ制御ノードは、設定メッセージを移動ノードに転送する第１のハンドオーバ制御ノードに設定メッセージを送信してよい。設定メッセージは、好ましくは、移動ノードに対して、無線トークンリングシステムのどのノードが拡張無線トークンリングシステムにおいてその割り当てられた下流ノードとなるかを示す。
【００１５】
ハンドオーバメッセージを受信すると、無線トークンリングシステムのハンドオーバ制御ノードは、好ましくは、無線トークンリングシステムの拡張を示す拡張情報を無線トークンリングシステムの通信ノードに送信する。
【００１６】
拡張情報は、無線トークンリングシステム内の通信ノードから通信ノードにトークンによって転送されてよい。代替的または追加的に、拡張情報は、無線トークンリングシステムのハンドオーバ制御ノードから無線トークンリングシステムの他のすべての通信ノードへのブロードキャスト信号を介して同時に送信されてよい。
【００１７】
さらに、ハンドオーバメッセージを受信したら、無線トークンリングシステムのハンドオーバ制御ノードは、好ましくは、新しいタイミングスケジュールを設定し、無線トークンリングシステムの通信ノードに新しいタイミングスケジュールを送信する。新しいタイミングスケジュールは、好ましくは、拡張無線トークンリングシステムにおける通信ノードにより満たされるべきタイミング要求を定義する。
【００１８】
新しいタイミングスケジュールは、無線トークンリングシステム内の通信ノードから通信ノードへトークンによって転送されてよい。代替的または追加的に、新しいタイミングスケジュールは、無線トークンリングシステムのハンドオーバ制御ノードから無線トークンリングシステムの他のすべての通信ノードへのブロードキャスト信号を介して同時に送信されてよい。
【００１９】
新しいタイミングスケジュールは、無線トークンリングシステム内の通信ノードのトークン保持時間によって定義されてよく、あるいは少なくとも定義してよい
【００２０】
トークンリングの各回転周期または回転サイクルにおいて、無線トークンリングシステムの各通信ノードは、直接的または間接的に、すなわち、中継ノードとして機能する１つ以上の他の通信ノードを介して、無線トークンリングシステムの割り当てられた下流通信ノードにトークンを送信することができ、無線トークンリングシステムの割り当てられた上流通信ノードからトークンを受信することができる。
【００２１】
第１の通信システムも無線トークンリングシステムであってよい。各回転周期において、第１の通信システムの各通信ノードは、直接的または間接的に、すなわち、中継ノードとして機能する１つ以上の他の通信ノードを介して、第１の通信システムの割り当てられた下流通信ノードにトークンを送信することができ、第１の通信システムの割り当てられた上流通信ノードからトークンを受信することができる。
【００２２】
本発明のさらなる実施形態は、少なくとも２つの通信システムを含むアレンジメントに関連する。通信システムのうちの少なくとも１つは、無線トークンリングシステムであり、無線トークンリングシステムの通信ノードのうちの少なくとも１つは、上述の方法によるハンドオーバ制御ノードとして活動するように構成されている
【００２３】
本発明のさらなる実施形態は、無線トークンリングシステムに関連する。無線トークンリングシステムのハンドオーバ制御ノードは、好ましくは、その次のトークンを、移動ノードに関するハンドオーバ処理の開始を示すハンドオーバメッセージを受信した後、オリジナルの無線トークンリングシステムにおいて以前に割り当てられた下流通信ノードではなく、移動ノードにアドレスし、
ハンドオーバ制御ノードが所与の期間内に移動ノードから確認応答を受信しない場合、移動ノードの割り当てられた下流ノードに置換トークンを送信する、ように構成されている。置換トークンはトークンリング通信を進行させることができる。
【００２４】
本発明のさらなる実施形態は、無線トークンリングシステムに対する通信ノードに関連する。通信ノードは、上述のハンドオーバ方法に従ってハンドオーバ制御ノードとして活動するように構成されている。
【００２５】
前記ハンドオーバ制御ノードは、好ましくは、移動ノードに関するハンドオーバ処理の開始を示すハンドオーバメッセージを受信した後、その次のトークンを、オリジナルの無線トークンリングシステムにおいて以前に割り当てられた下流通信ノードではなく、移動ノードにアドレスし、
ハンドオーバ制御ノードが所与の期間内に移動ノードから確認応答を受信しない場合、移動ノードの割り当てられた下流ノードに置換トークンを送信する。置換トークンはトークンリング通信を進行することができる。
【００２６】
通信ノードは、好ましくは、トランシーバ、プロセッサ、およびハンドオーバ制御ソフトウェアモジュールを記憶するメモリを含み、ハンドウェア制御ソフトウェアモジュールは、起動後、通信ノードがハンドオーバ制御ノードとして活動するようにプロセッサにプログラムする。
【図面の簡単な説明】
【００２７】
本発明の上述した及び他の利点が得られる方法を容易に理解するために、上記に簡潔に説明した本発明のより特定の説明を、添付の図面に示した本発明の具体的な実施形態を参照して行う。これらの図面は、本発明の代表的な実施形態のみを示すため、その範囲を限定するものとみなされるべきではないと理解し、添付の図面の使用によって、本発明の追加的な具体性及び詳細を記載及び説明する。
【００２８】
【図１】２つの通信システムを含むアレンジメントにおけるハンドオーバ処理の例示的な実施形態を示す。
【図２】２つの通信システムを含むアレンジメントにおけるハンドオーバ処理の例示的な実施形態を示す。
【図３】２つの通信システムを含むアレンジメントにおけるハンドオーバ処理の例示的な実施形態を示す。
【図４】２つの通信システムを含むアレンジメントにおけるハンドオーバ処理の例示的な実施形態を示す。
【図５】２つの通信システムを含むアレンジメントにおけるハンドオーバ処理の例示的な実施形態を示す。
【図６】図１から図５に示すハンドオーバ処理の修正を示す。
【図７】図１から図５に示すハンドオーバ処理のさらなる修正を示す。
【図８】図１から図５に示すハンドオーバ処理のさらなる修正を示す。
【図９】図１から図５に示すハンドオーバ処理のさらなる修正を示す。
【図１０】図１から図９に示すアレンジメントおけるハンドオーバ制御ノードとして動作することができる通信ノードの例示的な実施形態を示す。
【発明を実施するための形態】
【００２９】
本発明の好ましい実施形態は、図面を参照することによって最もよく理解されるであろう。本発明は、本明細書の図面に一般的に説明および図示されているように、広範囲に変化することができることが容易に理解されるであろう。したがって、以下の本発明の例示的な実施形態のより詳細な説明は、図面に示されているように、特許請求の範囲のように本発明の範囲を限定することを意図するものではなく、本発明の現在の好ましい実施形態を単に代表するものである。
【００３０】
図１は、第１の通信システム１と第２の通信システムとを含むアレンジメントを示す。
【００３１】
第２の通信システムは、無線トークンリングシステム２である。無線トークンリングシステムの各回転周期において、無線トークンリングシステムの通信ノード２０から２３の各々は、直接的または間接的に、すなわち、中継ノードとして機能する１つ以上の他の通信ノードを介して、トークンＴを無線トークンリングシステムの割り当てられた下流通信ノードに送信し、無線トークンリングシステムの割り当てられた上流通信ノードからトークンを受信する。図１では、矢印は互いに対する上流と下流のノードの割り当て可視化している。
【００３２】
以下、別の通信システムの通信ノードが無線トークンリングシステム２に参加しようとする場合に、通信ノード２０がハンドオーバ制御ノードとして活動するように構成されると仮定する。
【００３３】
第１の通信システム１は、本技術分野における任意の通信標準に基づいてよい。例えば、第１の通信システム１も無線トークンリングシステムであってよい。この場合、各回転周期において、第１の通信システム１の通信ノード１０から１３の各々は、割り当てられた下流通信ノードにトークンを送信し、割り当てられた上流通信ノードからトークンを受信する。
【００３４】
以下、通信システム１と２との間のハンドオーバ処理の好ましい実施形態について、更に詳細に説明する。第１の通信システム１の通信ノード１３は、第１の通信システム１を離れ、無線トークンリングシステム２に参加すると仮定する。通信ノード１３は、移動ノード１３と呼ばれる。
【００３５】
ハンドオーバ処理の開始は、ハンドオーバメッセージＨＯＭ（１３）によって無線トークンリングシステム２のハンドオーバ制御ノード２０に伝達される。ハンドオーバメッセージＨＯＭ（１３）は、移動ノード１３を示す（図２参照）。
【００３６】
ハンドオーバメッセージＨＯＭ（１３）は、第１の通信システム１の通信ノード１０から１３のいずれかによって、例えば、移動ノード１３自体によって、送信されることができる。第１の通信システム１がハンドオーバ制御ノードを含む場合、ハンドオーバメッセージＨＯＭ（１３）は、好ましくは、ハンドオーバ制御ノードによって送信される。図１において、通信ノード１０は通信システム１のハンドオーバ制御ノードであるため、ハンドオーバメッセージＨＯＭ（１３）を無線トークンリングシステム２のハンドオーバ制御ノード２０に送信すると仮定する（図２参照）。
【００３７】
ハンドオーバメッセージＨＯＭ（１３）を受信した後、無線トークンリングシステム２のハンドオーバ制御ノード２０は、移動ノード１３に対してその次のトークンＴ（２１）をアドレスし、オリジナルの無線トークンリングシステム２（図３参照）において以前に割り当てられた下流通信ノード２１に対してはアドレスしない。この次のトークンＴ（２１）は、通信ノード２１が拡張された無線トークンリングシステム２内の移動ノード１３に割り当てられた下流ノードであるという情報を含む。
【００３８】
移動ノード１３がトークンＴ（２１）を受信し、その後、拡張された第２のトークンリングシステム２において、ハンドオーバ制御ノードに確認信号Ａを、割り当てられた下流ノード２１に自身のトークンＴを送信する場合、ハンドオーバ処理は完了したものとみなされ、移動ノード１３は、拡張された無線トークンリングシステム２において、ハンドオーバ制御ノード１０の新たに割り当てられた下流ノードを形成する（図４参照）。
【００３９】
ハンドオーバ制御ノード２０が所定の時間内に確認信号Ａを受信しない場合、ハンドオーバ制御ノード２０は、移動ノード１３がトークンＴ（２１）を受信していないため、移動ノード１３の割り当てられた下流ノード２１に自身のトークンＴを送信していないと仮定する（図５参照）。無線トークンリングシステム２におけるトークンリング通信が進行することができるように、ハンドオーバ制御ノード２０は、移動ノード１３の割り当てられた下流ノード２１に置換トークンＲＴを送信する。置換トークンＲＴは、移動ノード１３の推定される欠落トークンＴを置き換え、無線トークンリングシステム２の他の通信ノード２１〜２３がトークンベースの通信を維持する（uphold）ことができる。
【００４０】
ハンドオーバ制御ノード２０は、上記のステップ、トークンＴ（２１）を移動ノード１３に送信し、ハンドオーバ制御ノード２０が移動ノード１３から確認信号Ａを受信するまで、あるいはハンドオーバ処理が失敗したとみなされて中止にされるまで、確認信号Ａを待つことを繰り返す。好ましくは、無線トークンリングシステム２のハンドオーバ制御ノード２０が成功なしで事前定義された数（例えば１００）の置換トークンＲＴを送信した後、ハンドオーバ処理は失敗したとみなされて中止になる。
【００４１】
再び図３を参照すると、無線トークンリングシステム２０のハンドオーバ制御ノード２０は、拡張情報ＥＩを無線トークンリングシステム２の通信ノード２１〜２３に送信し得ることが分かる。拡張情報ＥＩは、無線トークンリングシステム２の拡張が差し迫っているか、すでに実装されていることを示す。拡張情報ＥＩは、ハンドオーバメッセージＨＯＭ（１３）を受信すると送信されてよい。
【００４２】
拡張情報ＥＩは、無線トークンリングシステム２（図１参照）内の通信ノードから通信ノードにトークンによって転送されてよい。代替的または追加的に、拡張情報ＥＩは、無線トークンリングシステム２のハンドオーバ制御ノード２０から無線トークンリングシステム２の他のすべての通信ノード２１〜２３にブロードキャスト信号を介して同時に送信されてよい。拡張情報ＥＩは、好ましくは、トークンＴ（２１）が移動ノード１３に送信される前に送信される。
【００４３】
さらに、ハンドオーバメッセージＨＯＭ（１３）を受信すると、無線トークンリングシステム２のハンドオーバ制御ノード２０は、新しいタイミングスケジュールＮＴＳを設定し、移動ノード１３だけでなく、無線トークンリングシステム２の通信ノード２１〜２３に新しいタイミングスケジュールＮＴＳを送信することができる。新しいタイミングスケジュールは、拡張された無線トークンリングシステム２において通信ノード１３、２１〜２３によって満たされなければならないタイミング要求を定義することが好ましい。
【００４４】
新しいタイミングスケジュールＮＴＳは、拡張された無線トークンリングシステム２内の通信ノードから通信ノードへトークンによって転送され得る。代替的または追加的に、新しいタイミングスケジュールＮＴＳは、ハンドオーバ制御ノード２０から通信ノード１３および２１〜２３へブロードキャスト信号を介して同時に送信され得る。
【００４５】
新しいタイミングスケジュールＮＴＳは、無線トークンリングシステム２内の通信ノードのトークン保持時間によって定義されてよく、あるいは少なくとも定義してよい。
【００４６】
図６は、上述したハンドオーバ処理の修正を示す。トークンＴ（２１）を受信した後、移動ノード１３は、拡張された第２のトークンリングシステム２において、割り当てられた下流ノード２１に対して、自身のトークンＴのみを送信し、追加の確認信号Ａを送信しない。トークンＴは無線で送信されるため、移動ノードのトークンＴの受信を必要な確認応答として受け付けるハンドオーバ制御ノード２０によっても受信され得る。言い換えると、図６の実施形態では、通信ノード２１にアドレスされた移動ノードのトークンＴもハンドオーバ制御ノード２０に対する確認応答を形成する。
【００４７】
ハンドオーバ制御ノード２０が、一定時間内に移動ノード１３からトークンＴを受信しない場合、ハンドオーバ制御ノード２０は、移動ノード１３がトークンＴ（２１）を受信しなかったと仮定する（図３参照）。無線トークンリングシステム２におけるトークンリング通信を進行させるために、ハンドオーバ制御ノード２０は、図５に示すように、移動ノード１３の割り当てられた下流ノード２１に置換トークンＲＴを送信する。
【００４８】
ハンドオーバ制御ノード２０は、トークンＴ（２１）を移動ノード１３に送信し、移動ノード１３のトークンＴによって搬送される黙示の確認応答を待つ、という上記のステップを、ハンドオーバ制御ノード２０が移動ノード１３からこのトークンＴを受信するまで、あるいはハンドオーバ処理が失敗したとみなされて中止されるまで繰り返す。
【００４９】
図７〜９は、図１〜５を参照して上述したハンドオーバ処理のさらなる修正を示す。通信システム１のハンドオーバ制御ノード１０からハンドオーバメッセージＨＯＭ（１３）を受信した後、無線トークンリングシステム２のハンドオーバ制御ノード２０は、構成メッセージＣＭ（２１）で応答する（図７参照）。
【００５０】
通信システム１のハンドオーバ制御ノード１０は、構成メッセージＣＭ（２１）を移動ノード１３に転送する（図８参照）。構成メッセージＣ（２１）は、移動ノード１３に対して、無線トークンリングシステム２の通信ノード２１が、拡張された無線トークンリングシステム２においてそれの割り当てられた下流ノードであることを示す。
【００５１】
移動ノード１３は、それの割り当てられた下流ノード２１を認識するため、無線トークンリングシステム２のハンドオーバ制御ノード２０から移動ノード１３に送信されるトークンＴ´（図９参照）は、拡張された無線トークンリングシステム２におけるノードの割り当てに関するいかなる表示も含む必要はない。
【００５２】
図１０は、図１〜図９の通信システム１および２において、通信ノード１０〜１３および２０〜２１のうちの任意のものを形成することができる通信ノード１００の例示的な実施形態を示す。
【００５３】
通信ノード１００は、電磁気放射を送受信することができるトランシーバ１１０、プロセッサユニット１２０およびメモリ１３０を含む。メモリ１３０は、プロセッサユニット１２０が上述のように動作することを可能にする制御プログラムＣＰを記憶する。
【００５４】
制御プログラムＣＰは、ハンドオーバ制御ソフトウェアモジュールＨＣＳを含み、これは、起動後に通信ノードが上述のようにハンドオーバ制御ノード２０として活動するようにプロセッサをプログラムする。例えばハンドオーバ制御ノード１００は、移動ノード１３に関するハンドオーバ処理の開始を示すハンドオーバメッセージＨＯＭを受信した後、移動ノード１３にその次のトークンをアドレスし、以前に割り当てられた下流通信ノード２１にはアドレスしない。さらに、ハンドオーバ制御ノード１００は、移動ノード１３からの確認応答（例えば、確認応答信号ＡまたはトークンＴ）を所与の時間内に受信しない場合に、移動ノード１３の割り当てられた下流ノード２１に置換トークンＲＴを送信することができる。
【００５５】
図１〜図１０を参照して上述した実施形態は、少なくともハンドオーバメッセージに関して、上述した論文「WTRP  ‐Wireless  Token  Ring  Protocol」に記載した方法とは異なる。図１〜図１０の例示的な実施形態によるハンドオーバメッセージは、第１の通信システムから第２の通信システムに送信されて、第２の通信システムに意図されたハンドオーバ処理に関する通信システムを知らせ、移動ノードをアナウンスするようにする。ハンドオーバメッセージは、第２の通信システムのハンドオーバ制御ノードが、アナウンスされた移動ノードが、第１の通信システムから第２の通信システムへシームレスにかつ割込みなしで移動することを可能にする。
【００５６】
言い換えると、第２の通信システムのハンドオーバ制御ノードは、移動ノードの到着を待ち、到着したら移動ノードの統合をシームレスに実行する。図１〜１０に関して「ハンドオーバ」と呼ばれる、より高い通信レイヤ上のセッション連続性の基礎であるこのシームレスな統合が、第１の通信システムから第２の通信システムへのハンドオーバ情報（ハンドオーバメッセージ）の事前送信により可能となる。
【００５７】
一方、論文「Solicit  Successor  token」は、第２のシステム内でのみ送信される。「Solicit  Successor  token」は、それを聞くことができる任意のノードを意味するため、任意のノードがネットワークに参加することを許容する。言い換えると、「Solicit  Successor  token」は、任意のノードがネットワークに入ることを可能にし、第１の通信システムによって以前にアナウンスされたあらかじめ定義された移動ノードに限定されない。
【００５８】
本明細書で開示する本発明の様々な実施形態および態様は、この明細書で具体的に説明した順序および文脈においてのみ理解されるべきではなく、それらの任意の順序および任意の組み合わせを含むべきである。文脈が必要とするときはいつでも、単数で使用されるすべての単語は複数を含むとみなされるものであり、その逆もまた同様である。文脈が必要とするときはいつでも、単語「および」と共にリストされているすべてのオプションは、単語「または」を含むとみなされるものであり、その逆もまた同様であり、そしてそれらの任意の組み合わせを含むとみなされるものである。
【００５９】
図面および明細書において、本発明の複数の実施形態を開示した。出願人は、各実施形態を修正し、追加の実施形態を作成するために、各実施形態の各特徴を他の任意の実施形態と組み合わせたり、それらに追加したりしてもよいことを強調したい。これらの追加の実施形態は、本開示の一部を形成するため、出願人は、プロセキューションの後の段階でこれらの追加の実施形態に関するさらなる請求項を提出することができる。
【００６０】
さらに、出願人は、以下の従属請求項のそれぞれの各特徴を任意の現在の独立請求項、および（現在の請求項構造によらず）任意の他の現在の従属請求項（の１つ以上）と組み合わせてよいことを強調したい。したがって、出願人は、プロセキューションの後の段階で、請求項を他の請求項との組み合わせに指向することができる。
【図１】
2020522910.tif 000003
【図２】
2020522910.tif 000004
【図３】
2020522910.tif 000005
【図４】
2020522910.tif 000006
【図５】
2020522910.tif 000007
【図６】
2020522910.tif 000008
【図７】
2020522910.tif 000009
【図８】
2020522910.tif 000010
【図９】
2020522910.tif 000011
【図１０】
2020522910.tif 000012
【国際調査報告】
2020522910.tif 000013
2020522910.tif 000014
2020522910.tif 000015